(57)【要約】  複数のフレームを含む映像メディアを再生する映像再生部（１０ｂ）と、前記再生される映像メディアの映像信号を記憶する第１メモリ（１３ｂ）と、複数の表示装置によって構成されるマルチディスプレイシステムのうち自表示装置とは異なる第１表示装置における映像メディアの各フレームを再生させる再生タイミングを表す読み出し制御信号を取得する取得部（１４ｂ）と、取得された読み出し制御信号に応じて前記第１メモリから当該読み出し制御信号に対応する映像信号のフレームを順次読み出しを行わせる読み出し制御部（１５ｂ）と、前記読み出しされた映像信号のフレームを表示部に表示させる表示制御回路（１６ｂ）とを有する。
2019177095.tif 000002
【特許請求の範囲】
【請求項１】
映像再生装置から入力される映像信号を記憶する第１メモリと、
複数の表示装置によって構成されるマルチディスプレイシステムのうち自表示装置とは異なる第１表示装置から前記映像信号を構成する１フレーム以内の周期で出力される、読み出しタイミングを示す読み出し制御信号を取得する取得部と、
前記タイミングに応じて前記第１メモリから前記映像信号を読み出しさせる読み出し制御部と、
前記第１メモリから読み出された前記映像信号の映像を表示する表示部と
を有する表示装置。
【請求項２】
前記読み出し制御信号を後段に接続された表示装置に出力する出力部
を有する請求項１記載の表示装置。
【請求項３】
前記映像再生装置から入力される映像信号に対応する映像信号であって前記第１表示装置から入力される映像信号を記憶する第２メモリを有し、
前記表示装置はさらに、
前記第１メモリから読み出された映像信号と前記第２メモリから読み出された映像信号とを、フレーム毎に比較する比較部と、
前記読み出し制御部は、前記比較部の比較結果に基づいて、前記第１メモリに記憶された前記映像再生装置から入力される映像信号の読み出しを行わせる
請求項１または請求項２に記載の表示装置。
【請求項４】
前記表示制御回路は、前記制御信号生成部が前記読み出し制御信号の生成を行うために用いたフレームについては前記表示部への表示を行わない
請求項３に記載の表示装置。
【請求項５】
前記制御信号生成部が前記読み出し制御信号の生成を行うために用いられるフレームの数は、予め定められた数以内である
請求項３または請求項４記載の表示装置。
【請求項６】
映像再生装置から入力される映像信号を記憶するメモリと、
複数の表示装置によって構成されるマルチディスプレイシステムのうち自表示装置において映像信号を構成するフレームを読み出すタイミングを示す読み出し制御信号を、１フレーム以内の周期で他の表示装置に出力する出力部と、
前記読み出し制御信号に応じて前記第１メモリから当該読み出し制御信号に対応する映像信号を読み出しさせる読み出し制御部と、
前記読み出しされた映像信号を表示する表示部と
を有する表示装置。
【請求項７】
前記読み出し制御信号は、前記第１の表示装置において表示される映像信号の垂直同期信号または水平同期信号である
請求項１から請求項６のうちいずれか１項に記載の表示装置。
【請求項８】
前記読み出し制御信号は、前記マルチディスプレイシステムにおける複数の表示装置をデイジーチェーン接続する信号線を介して送られる
請求項１から請求項７のうちいずれか１項に記載の表示装置。
【請求項９】
映像再生装置から入力される映像信号を記憶する第１メモリと、
前記映像再生装置に対応する映像信号であって複数の表示装置によって構成されるマルチディスプレイシステムのうち自表示装置とは異なる第１表示装置から入力される映像信号を記憶する第２メモリと、
前記第１メモリから読み出された映像信号と前記第２メモリから読み出された映像信号とを、フレーム毎に比較する比較部と、
前記比較部の比較結果に基づいて、前記第１メモリに記憶された前記映像再生装置から入力される映像信号の読み出しを行わせる読み出し制御部と、
前記第１メモリから読み出される前記映像信号の映像を表示する表示部と
を有する表示装置。
【請求項１０】
映像再生装置から入力される映像信号を記憶する第１メモリと、複数の表示装置によって構成されるマルチディスプレイシステムのうち自表示装置において映像信号を構成するフレームを読み出すタイミングを示す読み出し制御信号を、１フレーム以内の周期で他の表示装置に出力する出力部と、前記読み出し制御信号に応じて前記第１メモリから当該読み出し制御信号に対応する映像信号を読み出しさせる読み出し制御部と、前記読み出しされた映像信号を表示する表示部とを有する第１表示装置と、
前記映像再生装置から入力される映像信号に対応する映像信号であって、前記第１表示装置から入力される映像信号を記憶する第２メモリと、自表示装置に接続される映像再生装置から入力される映像信号を記憶する第３メモリと、前記第１表示装置から前記映像信号を構成する１フレーム以内の周期で出力される、読み出しタイミングを表す読み出し制御信号を取得する取得部と、取得された読み出し制御信号に応じて前記第３メモリから当該読み出し制御信号に対応する映像信号を読み出しさせる読み出し制御部と、前記第３メモリから読み出しされた映像信号の映像を表示する表示部とを有する第２表示装置と
を有するマルチディスプレイシステム。
【請求項１１】
第１メモリが、映像再生装置から入力される映像信号を記憶し、
取得部が、複数の表示装置によって構成されるマルチディスプレイシステムのうち自表示装置とは異なる第１表示装置から前記映像信号を構成する１フレーム以内の周期で出力される、読み出しタイミングを示す読み出し制御信号を取得し、
読み出し制御部が、前記タイミングに応じて前記第１メモリから前記映像信号の読み出しを行わせ、
表示部が、前記第１メモリから読み出された前記映像信号の映像を表示する
表示方法。
【請求項１２】
メモリが、映像再生装置から入力される映像信号を記憶し、
出力部が、複数の表示装置によって構成されるマルチディスプレイシステムのうち自表示装置において映像信号を構成するフレームを読み出すタイミングを示す読み出し制御信号を、１フレーム以内の周期で他の表示装置に出力し、
読み出し制御部が、前記読み出し制御信号に応じて前記メモリから当該読み出し制御信号に対応する映像信号を読み出しさせ、
表示部が、前記読み出しされた映像信号を表示する
表示方法。
【請求項１３】
第１メモリが、映像再生装置から入力される映像信号を記憶し、
第２メモリが、前記映像再生装置に対応する映像信号であって複数の表示装置によって構成されるマルチディスプレイシステムのうち自表示装置とは異なる第１表示装置から入力される映像信号を記憶し、
比較部が、前記第１メモリから読み出された映像信号と前記第２メモリから読み出された映像信号とを、フレーム毎に比較し、
読み出し制御部が、前記比較部の比較結果に基づいて、前記第１メモリに記憶された前記映像再生装置から入力される映像信号の読み出しを行わせる
表示部が、前記第１メモリから読み出される前記映像信号の映像を表示する
表示方法。
【発明の詳細な説明】
【技術分野】
【０００１】
本発明は、表示装置、マルチディスプレイシステムに関する。
本願は、２０１８年３月１５日に出願されたＰＣＴ／ＪＰ２０１８／０１０２００について優先権を主張し、その内容をここに援用する。
【背景技術】
【０００２】
プロジェクタやモニタなど表示装置を複数台使用し、表示する対象の１つの画面を分割して各表示装置によって投射することで、１つの大画面を構築するマルチディスプレイシステムがある（例えば、特許文献１参照）。このような表示装置は、例えば、デイジーチェーン接続される。そして、マスターである表示装置には、映像コンテンツを供給する映像信号供給装置から映像信号が入力される。マスターである表示装置は、後段に接続されたスレーブの表示装置に映像信号を供給する。この映像信号は、順次後段の表示装置に送信される。そして複数の表示装置は、映像信号のうち、自身が表示する対象の領域をそれぞれ拡大表示することで、複数の表示装置によって１つの映像信号が表示される。
また、表示装置には、外部からの映像信号を入力して表示する機能の他に、映像メディアを再生する映像再生機能を有する表示装置がある。このような表示装置は、映像信号のうち自身に割り当てられた領域について映像メディアとして記憶しておき、等倍で表示することが考えられる。この場合、デイジーチェーン接続された信号線を介することなく自身の表示装置において映像信号を生成することができ、映像信号の劣化を防止することができる。また、拡大処理を行わなくてよいメリットがある。
【先行技術文献】
【特許文献】
【０００３】
【特許文献１】特許第４６９８１３９号公報
【発明の概要】
【発明が解決しようとする課題】
【０００４】
しかしながら、マルチディスプレイを構成する各表示装置の画面を利用して１つのコンテンツを表示する場合、各表示装置の映像再生機能によって映像信号をそれぞれ再生すると、各表示装置における表示タイミングが一致しない場合があるという問題がある。
【課題を解決するための手段】
【０００５】
本発明における一態様は、映像再生装置から入力される映像信号を記憶する第１メモリと、複数の表示装置によって構成されるマルチディスプレイシステムのうち自表示装置とは異なる第１表示装置から前記映像信号を構成する１フレーム以内の周期で出力される、読み出しタイミングを示す読み出し制御信号を取得する取得部と、前記タイミングに応じて前記第１メモリから前記映像信号を読み出しさせる読み出し制御部と、前記第１メモリから読み出された前記映像信号の映像を表示する表示部とを有する。【０００６】
また、本発明における一態様は、映像再生装置から入力される映像信号を記憶するメモリと、複数の表示装置によって構成されるマルチディスプレイシステムのうち自表示装置において映像信号を構成するフレームを読み出すタイミングを示す読み出し制御信号を、１フレーム以内の周期で他の表示装置に出力する出力部と、前記読み出し制御信号に応じて前記第１メモリから当該読み出し制御信号に対応する映像信号を読み出しさせる読み出し制御部と、前記読み出しされた映像信号を表示する表示部とを有する。【０００７】
また、本発明における一態様は、映像再生装置から入力される映像信号を記憶する第１メモリと、前記映像再生装置に対応する映像信号であって複数の表示装置によって構成されるマルチディスプレイシステムのうち自表示装置とは異なる第１表示装置から入力される映像信号を記憶する第２メモリと、前記第１メモリから読み出された映像信号と前記第２メモリから読み出された映像信号とを、フレーム毎に比較する比較部と、前記比較部の比較結果に基づいて、前記第１メモリに記憶された前記映像再生装置から入力される映像信号の読み出しを行わせる読み出し制御部と、前記第１メモリから読み出される前記映像信号の映像を表示する表示部とを有する。【０００８】
また、本発明における一態様は、映像再生装置から入力される映像信号を記憶する第１メモリと、複数の表示装置によって構成されるマルチディスプレイシステムのうち自表示装置において映像信号を構成するフレームを読み出すタイミングを示す読み出し制御信号を、１フレーム以内の周期で他の表示装置に出力する出力部と、前記読み出し制御信号に応じて前記第１メモリから当該読み出し制御信号に対応する映像信号を読み出しさせる読み出し制御部と、前記読み出しされた映像信号を表示する表示部とを有する第１表示装置と、前記映像再生装置から入力される映像信号に対応する映像信号であって、前記第１表示装置から入力される映像信号を記憶する第２メモリと、自表示装置に接続される映像再生装置から入力される映像信号を記憶する第３メモリと、前記第１表示装置から前記映像信号を構成する１フレーム以内の周期で出力される、読み出しタイミングを表す読み出し制御信号を取得する取得部と、取得された読み出し制御信号に応じて前記第３メモリから当該読み出し制御信号に対応する映像信号を読み出しさせる読み出し制御部と、前記第３メモリから読み出しされた映像信号の映像を表示する表示部とを有する第２表示装置とを有するマルチディスプレイシステムである。【０００９】
また、本発明における一態様は、第１メモリが、映像再生装置から入力される映像信号を記憶し、取得部が、複数の表示装置によって構成されるマルチディスプレイシステムのうち自表示装置とは異なる第１表示装置から前記映像信号を構成する１フレーム以内の周期で出力される、読み出しタイミングを示す読み出し制御信号を取得し、読み出し制御部が、前記タイミングに応じて前記第１メモリから前記映像信号の読み出しを行わせ、表示部が、前記第１メモリから読み出された前記映像信号の映像を表示する。【００１０】
また、本発明における一態様は、メモリが、映像再生装置から入力される映像信号を記憶し、出力部が、複数の表示装置によって構成されるマルチディスプレイシステムのうち自表示装置において映像信号を構成するフレームを読み出すタイミングを示す読み出し制御信号を、１フレーム以内の周期で他の表示装置に出力し、読み出し制御部が、前記読み出し制御信号に応じて前記メモリから当該読み出し制御信号に対応する映像信号を読み出しさせ、表示部が、前記読み出しされた映像信号を表示する。【００１１】
また、本発明における一態様は、第１メモリが、映像再生装置から入力される映像信号を記憶し、第２メモリが、前記映像再生装置に対応する映像信号であって複数の表示装置によって構成されるマルチディスプレイシステムのうち自表示装置とは異なる第１表示装置から入力される映像信号を記憶し、比較部が、前記第１メモリから読み出された映像信号と前記第２メモリから読み出された映像信号とを、フレーム毎に比較し、読み出し制御部が、前記比較部の比較結果に基づいて、前記第１メモリに記憶された前記映像再生装置から入力される映像信号の読み出しを行わせる表示方法である。
【発明の効果】
【００１２】
本発明によれば、マルチディスプレイを構成する各表示装置の映像再生機能によって映像信号をそれぞれ再生したとしても、各表示装置における表示タイミングを合わせて表示することができる。
【図面の簡単な説明】
【００１３】
【図１】この発明の第１の実施形態によるマルチディスプレイシステム１００の構成を示す概略構成図である。
【図２】マルチディスプレイシステム１００に表示される画像の一例を示す図である。
【図３】表示装置１の機能を説明する概略機能ブロック図である。
【図４】表示装置２の機能を説明する概略機能ブロック図である。
【図５】表示装置の動作を説明するフローチャートである。
【図６】第２の実施形態における表示装置１ａの構成を表す概略ブロック図である。
【図７】第３の実施形態における表示装置１ｂの機能を表す概略ブロック図である。
【図８】第４の実施形態における表示装置１ｃの機能を表す概略ブロック図である。
【図９】第５実施形態における表示装置１ｄの機能を表す概略ブロック図である。
【図１０】第５実施形態における表示装置２ｄの機能を表す概略ブロック図である。
【図１１】表示装置１ｄの動作を説明するフローチャートである。
【図１２】表示装置２ｄの動作を説明するフローチャートである。
【図１３Ａ】フレームメモリ２３とフレームメモリ３３のそれぞれのフレームの関係を示す図である。
【図１３Ｂ】フレームメモリ２３とフレームメモリ３３のそれぞれのフレームの関係を示す図である。
【図１３Ｃ】フレームメモリ２３とフレームメモリ３３のそれぞれのフレームの関係を示す図である。
【図１４Ａ】フレームメモリ２３とフレームメモリ３３のそれぞれのフレームの関係を示す図である。
【図１４Ｂ】フレームメモリ２３とフレームメモリ３３のそれぞれのフレームの関係を示す図である。
【図１４Ｃ】フレームメモリ２３とフレームメモリ３３のそれぞれのフレームの関係を示す図である。
【図１５】表示装置１ｄ（フレームメモリ１３）と表示装置２ｄ（フレームメモリ２３）のフレームの表示タイミングについて説明する図である。
【図１６】第６実施形態における表示装置２ｅの機能を表す概略ブロック図である。
【図１７】第７実施形態における表示装置２ｆの機能を表す概略ブロック図である。
【発明を実施するための形態】
【００１４】
以下、本発明の一実施形態による表示システム１について図面を参照して説明する。図１は、この発明の第１の実施形態によるマルチディスプレイシステム１００の構成を示す概略構成図である。
マルチディスプレイシステム１００は、表示装置１、表示装置２、表示装置３、表示装置４が映像信号線によってデイジーチェーン接続されている。また、このマルチディスプレイシステム１００では、表示装置１に信号源５が接続されている。信号源５は、映像信号を供給する装置であり、例えば、コンピュータや映像再生装置等を用いることができる。信号源５は、表示装置１に映像信号線６１を介して電気的に接続される。信号源５は、映像信号を映像信号線６１を介して表示装置１に出力する。
【００１５】
表示装置１は、表示装置２に対して映像信号線６２を介して接続される。表示装置２は、表示装置３に対して映像信号線６３を介して接続される。表示装置３は、表示装置４に対して映像信号線６４を介して接続される。
このようにして信号源５、表示装置１、表示装置２、表示装置３及び表示装置４は、映像信号線６１、映像信号線６２、映像信号線６３及び映像信号線６４によってデイジーチェーン接続されている。
【００１６】
ここで、表示装置１、表示装置２、表示装置３及び表示装置４は、それぞれメディアプレイヤ（以下、ＭＰとも称する）と同期回路とが設けられている。ここでは、表示装置１は、ＭＰ１０と同期回路１５、表示装置２は、ＭＰ２０と同期回路２５、表示装置３は、ＭＰ３０と同期回路３５、表示装置４は、ＭＰ４０と同期回路４５が設けられる。これらＭＰ１０、ＭＰ２０、ＭＰ３０及びＭＰ４０は、表示装置１、表示装置２、表示装置３及び表示装置４の４つの表示画面によって１つの映像となるような映像メディアを再生する。ここでは、表示装置１によって表示される表示画像１ａと、表示装置２によって表示される表示画像２ｄと、表示装置３によって表示される表示画像３ａと、表示装置４によって表示される表示画像４ａとが表示されると、図２に示すように、これらの表示画像が組み合わされた１つの映像として表示される。
【００１７】
また、ここでは、１つの映像として表示するにあたり、各表示画像が表示装置において表示されるタイミングを合わせる必要がある。表示装置１の同期回路１５、表示装置２の同期回路２５、表示装置３の同期回路３５及び表示装置４の同期回路４５は、他の表示装置との間で表示画像を表示させるタイミングの同期をとる機能を有する。このように表示タイミングを合わせることで、各表示装置において、別々に映像メディアを再生したとしても、マルチディスプレイシステム１００全体として１つ映像となるように表示される。
なお、各ＭＰ（ＭＰ１０、ＭＰ２０、ＭＰ３０、ＭＰ４０）において映像メディアを再生する場合には、信号源５は、映像信号を表示装置１に供給しなくてよい。この場合、映像信号は、信号源５から表示装置１に映像信号線６１を介して供給しなくてよい。一方で、映像信号線６２、映像信号線６３、映像信号線６４については、マルチディスプレイシステム１００を構築する際に、デイジーチェーン接続するために各表示装置間において接続されているため、本実施形態においては、これら映像信号線６２、映像信号線６３、映像信号線６４を活用する。
【００１８】
図３は、表示装置１の機能を説明する概略機能ブロック図である。
ＭＰ１０は、映像メディアを再生し、再生された映像信号を出力する。生成する対象となる映像データは、予め表示装置１内の記憶装置に記憶されていてもよいし、記録媒体に記憶された映像データを読み出すようにしてもよい。また、ＭＰ１０は、信号源５と同様の機能を実現するものであってもよい。
セレクタ（以下、ＳＥＬとも称する）１１は、映像信号線６１から入力される映像信号と、ＭＰ１０から出力される映像信号のうちいずれか一方を選択し、選択された映像信号を映像処理回路１２に出力するともに、出力部１８に出力する。
ＳＥＬ１１は、いずれの映像信号を選択するかについては、例えば、表示対象が信号源５からの映像信号であるかＭＰ１０によって再生された映像信号であるかの指示を外部から取得し、その指示応じて選択する。外部からの指示としては、例えば、表示装置１のリモコン装置等であってもよい。
【００１９】
映像処理回路１２は、ＳＥＬ１１から入力される映像信号をフレームメモリ１３に書き込むための処理を行う。また、映像処理回路１２は、同期回路１１１を有する。同期回路１１１は、映像信号の水平同期信号や垂直同期信号に基づいてフレームメモリ１３に映像信号を書き込むための各種タイミング信号を生成する。
【００２０】
フレームメモリ１３は、映像処理回路１２から書き込みされる映像信号を記憶し、記憶した映像信号を駆動回路１６に出力（読み出し）する。
【００２１】
ＳＥＬ１４は、映像信号線６１から供給される信号とＭＰ１０から供給される信号とのうちいずれか一方を選択して、選択された信号を同期回路１５に出力する。ここで、マルチディスプレイシステム１００における表示装置のうち、自表示装置（表示装置１）がデイジーチェーン接続された最前段の表示装置（信号源５に対して最初に接続されている表示装置）である場合には、ＳＥＬ１４は、ＭＰ１０から出力される映像信号を選択し、最前段の表示装置ではない場合には、映像信号線６１から供給される信号を選択する。ここでは、表示装置１がデイジーチェーン接続された最前段の表示装置であるため、ＳＥＬ１４は、ＭＰ１０から出力される信号を選択する。自表示装置が最前段であるか否かについては、デイジーチェーン接続をしてマルチディスプレイシステム１００を構築した段階で、自表示装置の前段と後段に表示装置が接続されているか否かを制御信号を利用して検出することができるようになっている。
ここで、ＭＰ１０から得られる映像信号としては、ＭＰ１０が映像信号を再生するタイミングを把握可能な信号であればよく、例えば、ＭＰ１０が再生する映像メディアのうちあるチャプターの再生を開始させるタイミング信号、映像メディアを再生する際の動画の特定のフレームが表示されるタイミングを表すタイミング信号等を用いることができる。
【００２２】
同期回路１５は、ＳＥＬ１４から出力されるタイミング信号に基づいて、フレームメモリ１３から駆動回路１６に対して映像信号の読み出しを行わせるタイミングを制御する読み出し制御信号を出力する。同期回路１５は、タイミング信号に応じたタイミングで、読み出しする対象のフレーム（表示させる対象のフレーム）の映像信号を読み出しさせることで、読み出し制御信号に応じたタイミングでフレームメモリ１３から駆動回路１６に映像信号を供給することができる。
例えば、同期回路１５は、映像信号の水平同期信号や垂直同期信号に基づいてフレームメモリ１３から映像信号を読み出すためのタイミングを表す読み出し制御信号を生成し、フレームメモリ１３に出力する。この読み出し制御信号は、映像信号に含まれる同期信号を用いることができる。同期信号は、映像メディアの各フレームを読み出しさせるタイミングを表す信号である。例えば、同期信号は、一定間隔で映像メディアの各フレームを順に読み出しさせるタイミングを表す。
【００２３】
駆動回路１６は、読み出し制御信号に応じてフレームメモリ１３から読み出しされた映像信号表示デバイス１７に表示させる。例えば、駆動回路１６は、表示デバイス１７の各画素の表示素子をそれぞれ駆動することで、映像信号を表示デバイス１７に描画させる。
表示デバイス１７は、映像信号を表示する。この表示デバイス１７は、例えば液晶表示パネルである。
【００２４】
出力部１８は、ＳＥＬ１１から入力される映像信号と、映像信号線６１から入力される映像信号とのうちいずれか一方を選択し、選択された信号を、映像信号線６２を介して後段の表示装置（表示装置２）に出力する。出力部１８は、ＳＥＬ１１が信号源５からの映像信号を選択する場合（表示対象が信号源５からの映像信号である場合）には、映像信号線６１から入力される映像信号を選択し、表示対象がＭＰ１０によって再生された映像信号である場合には、ＳＥＬ１１から入力される映像信号を選択する。なお、出力部１８の出力端子には、映像信号線６２が接続されている。これにより、出力部１８は、自表示装置において映像メディアの再生する再生タイミング（例えば、映像メディアの映像信号を表示する表示タイミング）を表す読み出し制御信号を後段に接続された表示装置に対し、デイジーチェーン接続された映像信号線を介して出力することができる。
【００２５】
次に、図４は、表示装置２の機能を説明する概略機能ブロック図である。表示装置２の機能は、表示装置１の機能と共通する部分がある。その共通する部分については説明を省略し、相違する点について主に説明する。
ＭＰ２０は、映像メディアを再生し、再生された映像信号を出力する。
ＳＥＬ２１は、映像信号線６２から入力される映像信号と、ＭＰ２０から入力される映像信号のうちいずれか一方を選択し、選択された映像信号を映像処理回路２２に出力するとともに、出力部２８に出力する。
ＳＥＬ２１は、いずれの映像信号を選択するかについては、例えば、表示対象が信号源５からの映像信号であるかＭＰ２０によって再生された映像信号であるかの指示を外部から取得し、その指示応じて選択する。外部からの指示としては、例えば、表示装置１のリモコン装置等であってもよい。
【００２６】
映像処理回路２２は、ＳＥＬ２１から入力される映像信号をフレームメモリ２３に書き込むための処理を行う。また、映像処理回路２２は、同期回路２１１を有する。同期回路２１１は、映像信号の水平同期信号や垂直同期信号に基づいてフレームメモリ１３に映像信号を書き込むための各種タイミング信号を生成する。
【００２７】
フレームメモリ２３は、映像処理回路１２から書き込みされる映像信号を記憶し、記憶した映像信号を駆動回路２６に出力（読み出し）する。ここでは、映像処理回路２２がフレームメモリ３３に映像信号を書き込む場合について説明するが、映像処理回路２２から出力される映像信号を他の機能部（例えば、書き込み部）がフレームメモリ２３に映像信号を書き込むようにしてもよい。
【００２８】
ＳＥＬ２４は、映像信号線６２から供給される映像信号とＭＰ２０から供給される映像信号とのうちいずれか一方を選択して、選択された信号を同期回路２５に出力する。ここで、マルチディスプレイシステム１００における表示装置のうち、自表示装置（表示装置２）がデイジーチェーン接続された最前段の表示装置である場合には、ＳＥＬ２４は、ＭＰ２０から出力される信号を選択し、最前段の表示装置ではない場合には、映像信号線６２から供給される信号を選択する。ここでは、表示装置２がデイジーチェーン接続された最前段の表示装置ではないため、ＳＥＬ２４は、映像信号線６２から供給される映像信号を選択する。
ここで、映像信号線６２を介して得られる映像信号としては、前段に接続された表示装置（ここでは表示装置１）の出力部から出力された映像信号である。
【００２９】
同期回路２５は、ＳＥＬ２４から出力される映像信号の水平同期信号や垂直同期信号に基づいてフレームメモリ１３から映像信号を読み出すためのタイミングを表す読み出し制御信号を生成し、フレームメモリ２３に出力する。これにより、読み出し制御信号に応じたタイミングでフレームメモリ２３から駆動回路２６に映像信号を供給することができる。
ここでは、ＭＰ２０によって再生された映像メディアの映像信号を一時的にフレームメモリ２３に記憶しておき、映像信号を読み出すタイミングについては、同期回路２５からの読み出し制御信号、すなわち、自表示装置の前段に接続された表示装置から得られた読み出し制御信号に従っている。そのため、前段に接続された表示装置が映像信号をフレームメモリから読み出して表示デバイスに表示するタイミングに合わせて、自表示装置において、フレームメモリから映像信号を読み出して、表示デバイスに表示させることができる。
また、ここでは、デイジーチェーン接続された最前段の表示装置のＭＰによって再生される映像信号に含まれる同期信号を２段目よりも後段に接続された表示装置に対して供給されるようにしたので、最前段の表示装置と、２段目よりも後段の表示装置とで、同じ映像信号に含まれる同期信号を読み出し制御信号として用いることで、各表示装置において表示タイミングを合わせることができる。
【００３０】
駆動回路２６は、読み出し制御信号に応じてフレームメモリ２３から読み出しされた映像信号表示デバイス２７に表示させる。表示デバイス２７は、映像信号を表示する。
【００３１】
出力部２８は、ＳＥＬ２１から入力される映像信号と、映像信号線６２から入力される映像信号とのうちいずれか一方を選択し、選択された信号を、映像信号線６３を介して後段の表示装置（ここでは表示装置３）に出力する。出力部２８は、ＳＥＬ２１が信号源５からの映像信号を選択する場合（表示対象が信号源５からの映像信号である場合）には、ＳＥＬ２１から入力される映像信号を選択し、表示対象がＭＰ２０によって再生された映像信号である場合には、映像信号線６２から入力される映像信号を選択する。なお、出力部２８の出力端子には、映像信号線６３が接続されている。これにより、出力部２８は、前段に接続された表示装置から得られた映像信号を後段に接続された表示装置に対し、デイジーチェーン接続された映像信号線を介して出力することができる。
この出力部２８を有することで、デイジーチェーン接続された複数の表示装置のうち、自表示装置が最前段の表示装置であるか否かに応じて、信号源５からの映像信号と、最前段の表示装置のＭＰによって再生された映像信号とのうちいずれか一方を後段の表示装置に出力することができる。また、出力部２８を用いることで、３段目よりも後段に接続された表示装置のそれぞれに対して、映像信号線を利用して、最前段の表示装置のＭＰによって再生された映像信号を供給することができる。
【００３２】
次に、表示装置３、表示装置４については、表示装置２の構成と同様である。なお、表示装置４については、後段に表示装置が接続されていないため、表示装置４のセレクタの出力端子には、表示装置が接続されない。
また、上述した構成によれば、表示装置に設けられたＭＰ、２つのＳＥＬ、出力部、映像処理回路、同期回路、フレームメモリ、駆動回路、表示デバイスについては、いずれの表示装置も同じ構成を有する。そのため、信号源５からの映像信号を表示するかＭＰからの映像信号を表示するかの指示が得られれば、自表示装置がデイジーチェーン接続された最前段の表示装置であるか否かに応じて、ＳＥＬによって信号が適宜選択される。これにより、図３または図４の表示装置を複数準備して、デイジーチェーン接続するだけで、特別な操作を行うことなく、最前段の表示装置であるか否かに応じた機能を発揮することができる。
【００３３】
次に、表示装置の動作を説明する。図５は、表示装置の動作を説明するフローチャートである。
各表示装置は、例えば、リモコン装置等の外部装置または表示装置に設けられた入力切り替えボタン等からの指示に応じて映像信号を選択する（ステップＳ１０１）。ここでは、ＭＰからの映像信号を選択する。
各ＭＰは、映像メディア再生することで映像信号を映像処理回路に出力する（ステップＳ１０２）。映像処理回路は、映像信号をフレームメモリに書き込む（ステップＳ１０３）。
一方、ＳＥＬは、映像信号線から供給される信号とＭＰから供給される信号とのうちいずれか一方を選択する（ステップＳ１０４）。ここでは、自表示装置が最前段の表示装置である場合、ＳＥＬ１４は、ＭＰ１０から出力される信号を選択する。自表示装置が最前段の表示装置ではない場合、例えば、自表示装置が表示装置２である場合、ＳＥＬ２４は、映像信号線６１から供給される映像信号を選択する。
【００３４】
ステップＳ１０４において、ＳＥＬによって信号が選択されると、同期回路（１５、２５、３５、４５）は、自身の前段に接続されたＳＥＬから供給される映像信号に基づいて、読み出し制御信号を生成してフレームメモリに出力する（ステップＳ１０５）。
【００３５】
出力部は、映像信号を後段の表示装置に出力する（ステップＳ１０６）。ここでは、各表示装置は、表示する対象の映像信号がＭＰから供給される映像信号であるため、最前段の表示装置の出力部は、ＭＰ１０によって再生された映像信号を後段の表示装置に出力し、２段目よりも後段の表示装置については、映像信号線を経由した、最前段の表示装置のＭＰによって再生された映像信号を選択して後段の表示装置に映像信号線を介して出力する。
【００３６】
一方、同期回路は、ＳＥＬから得られる映像信号に基づいて読み出し制御信号を生成してフレームメモリに出力することで、フレームメモリから映像信号の読み出しを行わせる（ステップＳ１０７）。駆動回路は、読み出された映像信号を表示デバイスに表示する（ステップＳ１０８）。
【００３７】
以上説明した実施形態によれば、表示装置１において用いられる読み出し制御信号が、表示装置１以外の表示装置２、表示装置３、表示装置４においても、共通して利用されるため、各表示装置においてそれぞれのＭＰによって映像メディアを再生する場合であっても、映像信号を表示する同期をとることができる。また、映像信号を表示する同期をとるにあたり、デイジーチェーン接続された信号線（映像信号線）を利用するようにしたので、同期をとるための特別な回線をデイジーチェーン接続された信号線とは別に用意する必要がない。また、映像信号線は、ＭＰによって映像メディアが再生されている間においては、信号源５からの映像信号を伝送する必要がないので、読み出し制御信号を伝送するために活用することができる。
また、２段目よりも後段の表示装置において、デイジーチェーン接続された最前段の表示装置の映像信号から同期信号を得る場合には、各表示装置において再生される映像メディアの映像信号において、１フレーム以内の再生タイミングのずれの範囲内である場合において好ましい。
【００３８】
図６は、第２の実施形態における表示装置１ａの構成を表す概略ブロック図である。表示装置１ａは、第１実施形態における表示装置１に対して、リアルタイムクロック（以下、ＲＴＣとも称する）１９をさらに有する点において異なる。ＲＴＣ１９は、時刻情報を生成する機能を有する。また、ＲＴＣ１９は、同期回路１５から得られる読み出し制御信号と、生成された時刻情報とに基づいて、ＭＰ１０に対して、映像信号を出力するタイミングを指示する。これにより、ＭＰ１０は、ＲＴＣ１９から得られるタイミングに従って、映像信号を出力する。ここでは、ＲＴＣ１９と同じ機能を２段目よりも後段に接続された表示装置のそれぞれが有することで、複数の表示装置において時刻を合わせた上で、自表示装置に設けられたＭＰによって映像信号を出力するタイミングを合わせるあるいは近づけることができる。そのため、各表示装置において、映像信号が再生されるタイミングが大幅にずれることを低減することができるため、フレームメモリに蓄積しておく映像信号の量を低減することができる。これにより、必要なフレームメモリの容量を減らすことができる。
なお、読み出し制御信号は、最前段の表示装置の読み出し制御信号だけでなく、外部の信号源５の読み出し制御信号を用いることもできる。例えば、外部から得られる読み出し制御信号としては、ＮＴＰ（ネットワークタイムプロトコル）によって得られる時刻情報を用いることもできる。このような時刻情報を各表示装置において共有することで、各表示装置におけるＭＰによって映像メディアを再生するタイミングを合わせることができる。これにより、フレームメモリの容量を低減することができる。
【００３９】
図７は、第３の実施形態における表示装置１ｂの機能を表す概略ブロック図である。
映像再生部１０ｂは、映像メディアを再生する。メモリ１３ｂは、再生される映像メディアの映像信号を記憶する。取得部１４ｂと、複数の表示装置によって構成されるマルチディスプレイシステムのうち自表示装置とは異なる第１表示装置における映像メディアの再生タイミングを表す読み出し制御信号を取得する。読み出し制御部１５ｂは、取得された読み出し制御信号に応じてメモリ１３ｂから映像信号の読み出しを行わせる。表示制御回路１６は、読み出しされた映像信号を表示部１７ｂに表示させる。
【００４０】
図８は、第４の実施形態における表示装置１ｃの機能を表す概略ブロック図である。
映像再生部１０ｃは、映像メディアを再生する。
メモリ１３ｃは、再生される映像メディアの映像信号を記憶する。
出力部１８ｃは、複数の表示装置によって構成されるマルチディスプレイシステムのうち自表示装置において映像メディアの再生する再生タイミングを表す読み出し制御信号を他の表示装置に出力する。読み出し制御部１５ｃは、前記読み出し制御信号に応じて前記メモリから映像信号の読み出しを行わせる。表示制御回路１６ｃは、読み出しされた映像信号を表示部１７ｃに表示させる。
【００４１】
ここでは、第４実施形態における表示装置１ｃの後段に、第３実施形態における表示装置１ｂを少なくとも１台をデイジーチェーン接続してマルチディスプレイシステムを構築するようにしてもよい。
【００４２】
図９は、第５実施形態における表示装置１ｄの機能を表す概略ブロック図である。この表示装置１ｄの機能は、図３に示す表示装置１の機能と共通する部分がある。その共通する部分については図３と同じ符号を付してその説明を省略し、相違する点について主に説明する。
制御部１０１は、表示装置１ｄの各部を制御する。例えば、制御部１０１は、マルチディスプレイにおける各表示装置における表示タイミングを同期させる場合、表示同期用の映像信号であるテスト映像信号をＭＰ１０によって再生させる。この実施形態においては、表示装置１ｄにおいてテスト映像信号を再生することで、後段の表示装置においてテスト信号を利用し、制御信号生成部によって読み出し制御信号を生成することができる。
【００４３】
ここでは、このテスト映像信号は、ＭＰ１０の内部メモリに記憶されていてもよいし、制御部１０１の内部メモリに記憶されていてもよいし、信号源５から映像信号線６１を介して供給されてもよい。この実施形態においては、一例としてＭＰ１０に記憶されている場合について説明する。
また、テスト映像信号には、複数のフレームを含む映像信号であり、フレームの数は、予め定められた数以内である。また、このテスト映像信号は、１フレーム毎に異なる表示内容となる映像信号である。
【００４４】
また、制御部１０１は、テスト映像信号をＭＰ１０によって再生する場合、このテスト映像信号を表示しないことを表す指示を駆動回路１６ａに出力する。
駆動回路１６ａは、制御部１０１からテスト映像信号について表示しないことを表す指示が入力されると、テスト映像信号のフレームについては、表示デバイス１７への表示は行わない。すなわち、駆動回路１６ａは、フレームメモリ１３からテスト映像信号のフレームのデータが出力されたとしても、テスト映像信号については非表示とする。
【００４５】
出力部１８ａは、映像信号線６２を介して後段の表示装置（ここでは、表示装置２ｄ）に接続される。この映像信号線６２としては、少なくとも映像信号と制御信号とを伝送可能な通信ケーブルを用いることができる。映像信号線６２は、例えば、Display PortまたはHDMI（登録商標）等の規格の通信ケーブルを利用することができる。なお、この実施形態において、各表示装置は、映像信号線６２と同様の通信ケーブルによって接続される。
このような通信ケーブルを用いることで、マルチディスプレイにおいて、上流側の表示装置は、後段に接続された表示装置に対して映像信号と制御信号とを供給することができる。
【００４６】
ここで、制御部１０１は、テスト映像信号を再生する際に、ＭＰ１０からテスト映像信号とともに、再生する対象の映像信号がテスト信号であることを示す制御信号を出力させる。これにより、ＳＥＬ１１によってＭＰ１０からの映像信号が選択されると、ＭＰ１０から出力されたテスト映像信号とともに制御信号が出力部１８ａに供給され、出力部１８ａは、後段の表示装置に、テスト映像信号と、再生する対象の映像信号がテスト信号であることを示す制御信号とを出力する。
また、テスト映像信号は、信号源５から供給されていてもよい。
【００４７】
図１０は、第５実施形態における表示装置２ｄの機能を表す概略ブロック図である。この表示装置２ｄの機能は、図４に示す表示装置２の機能と共通する部分がある。その共通する部分については図４と同じ符号を付してその説明を省略し、相違する点について主に説明する。
【００４８】
書き込み部３２は、映像信号線６３に電気的に接続されており、出力部２８から出力される映像信号を入力し、この映像信号をフレームメモリ３３に書き込む。
フレームメモリ３３は、書き込み部３２によって書き込まれる映像信号を記憶する。
差分算出部３４は、フレームメモリ２３とフレームメモリ３３のいずれか一方のメモリに記憶された映像信号のフレームと、もう一方のメモリのメモリに記憶された映像信号のフレームの差を、一方のメモリに記憶された映像信号のフレームの再生タイミングに対してもう一方のメモリに記憶された映像信号のフレームの再生タイミングを異ならせた複数の場合について求める。
差分算出部３４は、差を求めるにあたり、フレームメモリ２３に記憶された映像信号のフレームに対するフレームメモリ３３に記憶された映像信号のフレームの差を求めるか、フレームメモリ３３に記憶された映像信号のフレームに対するフレームメモリ２３に記憶された映像信号のフレームの差を求めるか、のいずれの方法で差を求めてもよい。
【００４９】
積算部３５は、差分算出部３４が算出するそれぞれの差の和を求める。
制御信号生成部３６は、積算部３５が算出した和に基づいて、フレームメモリ２３に記憶された映像信号の読み出し制御信号を生成する。制御信号生成部３６は、生成した読み出し制御信号を同期回路２５ａに供給する。
また、制御信号生成部３６は、生成した読み出し制御信号を同期回路２５ａに供給するのではなく、他の部に供給することもできる。
例えば、制御信号生成部３６は、積算部３５が算出した和に基づいて、フレームメモリ２３に記憶された映像信号の読み出し制御信号を生成し、生成した読み出し制御信号をＭＰ２０に供給することもできる。この場合、ＭＰ２０は、制御信号生成部３６から供給される読み出し制御信号に基づいて、表示タイミングの差が１フレーム以内になるように、映像信号を出力するタイミングを変更（設定）する。
また、例えば、制御信号生成部３６は、積算部３５が算出した和に基づいて、フレームメモリ２３に記憶された映像信号の読み出し制御信号を生成し、生成した読み出し制御信号を映像処理回路２２または同期回路２２１に供給することもできる。この場合、読み出し制御信号が供給された映像処理回路２２または同期回路２２１は、表示タイミングの差を１フレーム以内にするように、フレームメモリ２３への書き込みのタイミングを変更する。なお、この場合、映像処理回路２２の内部にフレームメモリが設けられる。そして、ＳＥＬ２１から得られた映像信号を映像処理回路２２の内部にフレームメモリに一旦記憶し、映像処理回路２２または同期回路２２１は、読み出し制御信号が供給されたタイミングに応じて、当該一旦記憶された映像信号を、表示タイミングの差が１フレーム以内となるタイミングで、フレームメモリ２３への書き込みを行う。
同期回路２５ａは、同期回路２５の機能を有するとともに、制御信号生成部３６によって生成された読み出し制御信号をフレームメモリ２３に供給する機能も有する。これにより、同期回路２５ａは、制御信号生成部３６によって生成された読み出し制御信号に対応する映像信号のフレームの読み出しを行わせることができる。
【００５０】
制御部２０１は、表示装置２ｄの各部を制御する。例えば、制御部２０１は、映像信号線６３から入力される映像信号がテスト映像信号であるか否かを判定する。例えば、制御部２０１は、映像信号に、テスト映像信号を再生する旨を表す制御信号が含まれているか否かを判定することで、テスト映像信号であるか否かを判定することができる。
【００５１】
制御部２０１は、映像信号がテスト映像信号であると判定した場合には、駆動回路２６ａに、映像信号を表示しないことを表す指示を出力し、映像がテスト映像信号ではない場合には、映像信号を表示しないことを表す指示を出力しない。
【００５２】
駆動回路２６ａは、テスト映像信号のフレームについては、表示デバイス２７への表示は行わない。すなわち、駆動回路２６ａは、制御部２０１から映像信号を表示しないことを表す指示が入力されている場合には、テスト映像信号について非表示とする。例えば、駆動回路２６ａは、制御部２０１から映像信号を表示しないことを表す指示が入力されている場合には、表示デバイス１７に対する駆動信号の出力を停止することで、非表示とするようにしてもよい。
また、駆動回路２６ａは、制御部２０１から映像信号を表示しないことを表す指示が入力されていない場合には、映像信号を表示デバイス２７に表示する。このように、駆動回路２６ａは、制御信号生成部３６が読み出し制御信号の生成を行うために用いたフレームについては、表示デバイス２７への表示を行わない。
また、駆動回路２６ａは、制御部２０１から映像信号を表示しないことを表す指示が入力されている場合には、一定の映像信号を表示デバイス２７に表示するようにしてもよい。一定の映像信号は、例えば、画面全体を特定の色で表示させる映像信号であってもよい。特定の色としては、黒または白を適用することができる。なお、一定の映像信号を表示する場合、駆動回路２６ａは、フレームメモリからの読み出しされる映像信号とは関係なく、一定の信号を表示する。
また、駆動回路２６ａは、制御部２０１から映像信号を表示しないことを表す指示が入力されている場合には、映像信号の表示をミュートするようにしてもよい。
【００５３】
図１１は、図９における表示装置１ｄの動作を説明するフローチャートである。
ＳＥＬ１１は、入力する映像信号を選択する（ステップＳ２０１）。ここでは、ＳＥＬ１１は、ＭＰ１０から供給される映像信号を選択する。
【００５４】
次に、表示装置１ｄのリモコン装置または表示装置１ｄが備えるスケジュール機能によって、ＭＰ１０から映像信号を出力する命令が発行されると（ステップＳ２０２）、制御部１０１は、当該命令を取得する。制御部１０１は、この命令を取得すると、ＭＰ１０に対して、テスト映像信号を再生させる指示を出力するとともに、駆動回路１６ａに対して、映像信号を表示しないことを表す指示を駆動回路１６ａに出力する。
【００５５】
ＭＰ１０は、制御部１０１からテスト映像信号の再生指示を取得すると、表示同期用の映像信号としてのテスト映像信号を一定時間出力する（ステップＳ２０３）。ＳＥＬ１１は、ＭＰ１０から供給されるテスト映像信号を選択する。ここでは、テスト映像信号に収容されたフレーム数は予め決められているため、再生対象のテスト映像信号を再生することで、ＳＥＬ１１を介して、テスト映像信号を映像処理回路１２と出力部１８ａに対して一定時間出力することができる。
【００５６】
出力部１８ａは、ＳＥＬ１１から得られたテスト映像信号を映像信号線６２を介して後段の表示装置（ここでは表示装置２ｄ）に出力する。出力部１８ａからテスト映像信号が出力されることで、表示装置２ｄは、このテスト映像信号の同期信号を用いて、映像信号のフレームを表示させるタイミングを決めることができる。
【００５７】
映像処理回路１２は、ＳＥＬ１１からテスト映像信号を入力すると、テスト映像信号に含まれる同期信号を用い、この同期信号に対応するタイミングに従って、フレーム毎の映像信号を生成し、フレームメモリ１３に書き込む（ステップＳ２０４）。この同期信号は、例えば、水平同期信号と垂直同期信号に基づいて、１つのフレーム画像を生成することが可能なタイミングを表す信号である。例えば、同期信号は、映像メディアの各フレームを読み出しさせるタイミングを表す信号である。また、同期信号は、一定間隔で映像メディアの各フレームを順に読み出しさせるタイミングを表す。
【００５８】
一方、ＳＥＬ１４は、ＭＰ１０から出力されるテスト映像信号を選択し、同期回路１５に出力する。
同期回路１５は、ＳＥＬ１４からテスト映像信号が入力されると、このテスト映像信号の水平同期信号や垂直同期信号に応じたタイミングに基づいて、フレームメモリ１３から映像信号を読み出すためのタイミングを表す読み出し制御信号を生成する（ステップＳ２０５）。
【００５９】
フレームメモリ１３は、同期回路１５から出力される読み出し制御信号に従って、自身に記憶された映像信号をフレーム毎に出力する（ステップＳ２０６）。
駆動回路１６ａは、制御部１０１から映像信号を表示しないことを表す指示が入力されているため、この指示が入力されている間においては、フレームメモリ１３から出力されるフレームについて、表示デバイス１７には表示させない。
【００６０】
一方、テスト映像信号の出力が終了すると、ＭＰ１０は、実際に表示デバイス１７に表示させる対象である映像信号を出力する（ステップＳ２０７）。制御部１０１は、ＭＰ１０によって再生される映像信号がテスト映像信号から実際に表示デバイス１７に表示する映像信号に切り替わったタイミングで、駆動回路１６ａに対する映像信号を表示しないことを表す指示の出力を停止する。これにより、映像信号が映像処理回路１２によってフレームメモリ１３に書き込まれる。また、同期回路１５は、ＳＥＬ１４から、実際に表示デバイス１７に表示する映像信号が供給されると、この映像信号の水平同期信号や垂直同期信号に応じたタイミングに基づいて、フレームメモリ１３から映像信号を読み出すためのタイミングを表す読み出し制御信号を生成する。
【００６１】
フレームメモリ１３は、同期回路１５からの読み出し制御信号に基づいて、自身に記憶された映像信号をフレーム毎に出力する。駆動回路１６ａは、フレームメモリ１３から出力されたフレーム毎の映像信号を表示デバイス１７に表示させる（ステップＳ２０８）。
この後は、ステップＳ２０４からステップＳ２０８が繰り返されることで、表示デバイス１７に映像信号が表示される。
このように、テスト映像信号が再生されている間においては、表示デバイス１７にテスト映像信号が表示されないようにし、テスト映像信号から実際に表示する映像信号に切り替わると、映像信号が表示デバイス１７に表示される。
【００６２】
次に、表示装置２ｄの動作について図１２のフローチャートを用いて説明する。
ＳＥＬ２１は、入力する映像信号を選択する（ステップＳ３０１）。ここでは、ＳＥＬ２１は、ＭＰ２０から供給される映像信号を選択する。
【００６３】
次に、表示装置２ｄのリモコン装置または表示装置２ｄが備えるスケジュール機能によって、ＭＰ２０から映像信号を出力する命令が発行されると（ステップＳ３０２）、ＭＰ２０は、当該命令を取得し、この命令に従って、テスト映像信号を一定時間出力する（ステップＳ３０３）。また、積算部３５は、積算結果をリセットする。このリセットはステップＳ３０３のタイミングで行ってもよいし、ステップＳ３０２の映像信号を出力する命令が発行されたタイミングであってもよい。
【００６４】
また、ここで、テスト映像信号に収容されたフレーム数は予め決められているため、再生対象のテスト映像信号を再生することで、ＳＥＬ２１を介して、テスト映像信号を映像処理回路２２と出力部２８に対して一定時間出力することができる。
出力部２８は、テスト映像信号を映像信号線６３を介して出力する。出力部２８から出力されたテスト映像信号は、フレームメモリ３３と、制御部２０１と、後段の表示装置に供給される。フレームメモリ３３は、出力部２８から出力されるテスト映像信号を記憶する。ここで、フレームメモリ３３の記憶容量は、テスト映像信号の各フレームを記憶することが可能な容量である。例えば、テスト映像信号が５フレーム分の映像信号である場合には、フレームメモリ３３は、５フレーム分の映像信号を記憶することが可能な記憶領域を有する。なお、フレームメモリ３３が記憶可能なフレーム数に応じて、テスト映像信号に含まれる映像信号のフレーム数が設定されていてもよい。
【００６５】
制御部２０１は、出力部２８から出力される映像信号がテスト映像信号であるか否かを判定する。ここでは、制御部２０１は、出力部２８から出力された映像信号がテスト映像信号であると判定し、駆動回路２６ａに、映像信号を表示しないことを表す指示を出力する。これにより、テスト映像信号が出力部２８から出力されてから、テスト映像信号ではない映像信号（本来表示すべき映像信号）が出力部２８から出力されるまでの間においては、駆動回路２６ａは、表示デバイス１７に表示を行わない。これにより、テスト映像信号を用いて同期信号を生成する間においては、表示デバイス１７にテスト映像信号を表示させないようにすることができる。
【００６６】
映像処理回路２２は、ＳＥＬ２１からテスト映像信号を入力すると、テスト映像信号に含まれる同期信号を用い、この同期信号に対応するタイミングに従って、フレーム毎の映像信号を生成し、フレームメモリ２３に書き込む（ステップＳ３０４）。この同期信号は、例えば、水平同期信号と垂直同期信号に基づいて、１つのフレーム画像を生成することが可能なタイミングを表す信号である。ここで、フレームメモリ２３の記憶容量は、テスト映像信号の各フレームを記憶することが可能な容量である。例えば、テスト映像信号が５フレーム分の映像信号である場合には、フレームメモリ２３は、５フレーム分の映像信号を記憶することが可能な記憶領域を有する。なお、フレームメモリ２３が記憶可能なフレーム数に応じて、テスト映像信号に含まれる映像信号のフレーム数が設定されていてもよい。
【００６７】
ＳＥＬ２４は、映像信号線６２から供給される映像信号を選択し、同期回路２５ａに供給する。ここでは、テスト映像信号がＳＥＬ２４から同期回路２５ａに供給される。同期回路２５ａは、ＳＥＬ２４から得られる映像信号の水平同期信号や垂直同期信号に応じたタイミングに基づいて、フレームメモリ２３から映像信号を読み出すためのタイミングを表す読み出し制御信号を生成する（ステップＳ３０５）。
【００６８】
フレームメモリ２３は、同期回路２５ａから出力される読み出し制御信号に従って、自身に記憶された映像信号をフレーム毎に出力する（ステップＳ３０６）。このフレーム毎の映像信号は、駆動回路２６ａと差分算出部３４に供給される。
【００６９】
一方、フレームメモリ２３からフレーム毎の映像信号が供給されると、差分算出部３４は、フレームメモリ３３に記憶されたフレーム毎の映像信号とフレームメモリ２３から供給されるフレーム毎の映像信号の差分を演算する。積算部３５は、その得られた差分を積算し、積算結果を記憶する（ステップＳ３０７）。
【００７０】
そして、差分算出部３４は、ステップＳ３０３からステップＳ３０７の処理を繰り返して実行する。ここで差分算出部３４は、ステップＳ３０３からステップＳ３０７の処理を繰り返して行う毎に、ステップＳ３０５におけるフレームメモリ２３からの読み出しを前回よりも１フレーム分遅らせた読み出し制御信号を生成する（ステップＳ３０８）。積算部３５は、ステップＳ３０３からステップＳ３０７の処理を行う毎に積算値を算出し、算出された積算値をそれぞれ記憶する。
【００７１】
差分算出部３４は、ステップＳ３０３からステップＳ３０７の処理を繰り返して実行する回数、フレームメモリ２３に記憶されるテスト映像信号のフレームの数に応じて決定し、決定された回数に従って繰り返して行う（ステップＳ３０９）。ここでは、テスト映像信号のフレーム数が５であり、フレームメモリ２３には、５フレーム分の映像信号が記憶されているため、５回繰り返す。これにより、例えば、ステップＳ３０８を５回目に実行する際には、５フレーム分遅らせるタイミングで読み出し制御信号が生成された上で、差分の積算が求められる。
【００７２】
例えば、１回目にステップＳ３０７を実行する場合におけるフレームメモリ２３とフレームメモリ３３の関係を図１３Ａに示す。２回目にステップＳ３０７を実行する場合には、図１３Ｂに示すように、フレームメモリ２３のフレームは、フレームメモリ３３のフレームを基準にして、前回（１回目）におけるフレームメモリ２３のフレームの再生タイミングよりも１フレーム分の時間が遅れたタイミングで再生された場合について、フレームメモリ２３とフレームメモリ３３のそれぞれのフレームの差を求める。
そして同様に、３回目、４回目においてもそれぞれ１フレームずつフレームメモリ２３のフレーム分の時間が遅れたタイミングで再生された場合について、フレームメモリ２３とフレームメモリ３３のそれぞれのフレームの差を求める。
そして、５回目にステップＳ３０７を実行する場合におけるフレームメモリ２３とフレームメモリ３３の関係を図１３Ｃに示す。
このようにして、積算部３５は、１回目から５回目にステップＳ３０７を実行した場合における差分の積算値（ｄ１ａ、ｄ２ａ、ｄ３ａ、ｄ４ａ、ｄ５ａ）をそれぞれ求める。
【００７３】
この差分は、フレームメモリ２３のフレームの再生時間に対応するフレームメモリ３３のフレームがある場合に、その対応するフレーム同士における差を求めるようにしてもよい。フレームメモリ２３のフレームの再生時間に対応するフレームメモリ３３のフレームが１つもない場合には、６フレーム以上の時間差があるとして判定することができ、この再生タイミングについては、読み出し制御信号の生成には用いないようにすることができる。
【００７４】
次に、差分算出部３４は、フレームメモリ２３の読み出し制御信号を１回目のタイミングに戻し、その上で、フレームメモリ３３の読み出しを１フレーム遅らせ、フレームメモリ３３に記憶されたフレーム毎の映像信号とフレームメモリ２３から供給されるフレーム毎の映像信号の差分を演算し、差分が得られる毎にその得られた差分を求める。積算部３５は、差分の積算値を求め、積算結果を記憶する（ステップＳ３１０）。
そして、差分算出部３４は、差分の積算値算出処理を繰り返して行う。この差分の積算値算出処理は上述のステップＳ３０３からステップＳ３０７の処理と同様である。ここで差分算出部３４は、ステップＳ３０５における読み出し制御信号は変更せず、フレームメモリ３３の読み出し制御信号を前回より１フレーム遅らせて差分の積算値算出処理を行う（ステップＳ３１１）。
【００７５】
差分算出部３４は、差分の積算値算出処理を、フレームメモリ３３に記憶されるテスト映像信号のフレームの数に応じて繰り返して行う（ステップＳ３１２）。ここでは、フレームメモリ３３に記憶されるフレーム数よりも１少ない数の分だけ繰り返す。より具体的には、フレームメモリ３３に記憶されるテスト映像信号のフレーム数が５である場合には、４回繰り返す。これにより、例えば、ステップＳ３０８を４回目に実行する際には、４フレーム分遅らせるタイミングで読み出し制御信号が生成された上で、差分の積算が求められる。
【００７６】
例えば、１回目にステップＳ３１０を実行する場合におけるフレームメモリ２３とフレームメモリ３３の関係を図１４Ａに示す。２回目にステップＳ３１０を実行する場合には、図１４Ｂに示すように、フレームメモリ３３のフレームは、フレームメモリ２３のフレームを基準にして、前回（１回目）におけるフレームメモリ２３のフレームの再生タイミングよりも１フレーム分の時間が遅れたタイミングで再生された場合について、フレームメモリ２３とフレームメモリ３３のそれぞれのフレームの差が求められる。
そして同様に、３回目においてもフレームメモリ２３の映像信号のフレームを１フレーム分の時間を遅らせたタイミングで再生された場合について、フレームメモリ２３とフレームメモリ３３のそれぞれのフレームの差が求められる。
そして、４回目にステップＳ３１０を実行する場合におけるフレームメモリ２３とフレームメモリ３３の関係を図１４Ｃに示す。
このようにして、積算部３５は、１回目から５回目にステップＳ３０７を実行した場合における差分の積算値（ｄ２ｂ、ｄ２ｂ、ｄ３ｂ、ｄ４ｂ（対応フレームなし））をそれぞれ求める。
【００７７】
また、ステップＳ３１０において求められる差分は、フレームメモリ２３のフレームの再生時間に対応するフレームメモリ３３のフレームがある場合に、その対応するフレーム同士における差を求めるようにしてもよい。フレームメモリ２３のフレームの再生時間に対応するフレームメモリ３３のフレームが１つもない場合には、６フレーム以上の時間差があるとして判定することができ、この再生タイミングについては、読み出し制御信号の生成には用いないようにすることができる。
また、フレームメモリ２３のフレームの再生時間に対応するフレームメモリ３３のフレームがない場合には、差分算出部３４が、フレームメモリ２３のフレームの再生時間に対応するフレームメモリ３３のフレームがある場合におけるフレーム同士の差よりも差が大きくなるような所定のフレームを、フレームメモリ３３のフレームとして用いて、差を求めるようにしてもよい。所定のフレームとしては、例えば、全域が黒を表示するようなフレーム（全黒のフレーム）を用いてもよい。
また、フレームメモリ２３のフレームの再生時間に対応するフレームメモリ３３のフレームがない場合には、差分算出部３４が対応するフレームがないことを検出し、フレームメモリ２３のフレームの再生時間に対応するフレームメモリ３３のフレームがある場合におけるフレーム同士の差よりも大きな差分を示す情報を出力するようにしてもよい。
【００７８】
次に、フレームメモリ３３は、自身に記憶された映像信号を読み出すための読み出し制御信号を１回目のタイミングに戻す（ステップＳ３１３）。１回目のタイミングとは、ステップＳ３１０を最初に実行する際の読み出し制御信号のタイミングである。
【００７９】
積算部３５は、記憶した各積算値を制御信号生成部３６に出力する。
制御信号生成部３６は、各積算値の中で(上記の例では合計９回)、出力部２８に接続された映像信号線６３から得られる映像信号とフレームメモリ２３から出力される映像信号６６のタイミングが一致している場合に相当する値があるいか否かを判定し、タイミングが一致している場合に相当する値があれば、そのときの読み出し制御信号を、フレームメモリ２３の読み出し制御信号として生成する（ステップＳ３１４）。
【００８０】
ここで、テスト映像信号に含まれるフレーム数と各フレームの映像の内容は予め解っている。そのため、フレームメモリ２３とフレームメモリ３３のそれぞれのフレームの差を算出するにあたり、フレームメモリ３３のフレームに対するフレームメモリ２３のフレームの差分の累積値を、フレームメモリ３３のフレームに対するフレームメモリ３３のフレームを１フレーム分から５フレーム分を遅らせた場合のそれぞれについての累積値を予め計算しておき、制御信号生成部３６の内部のメモリにそれぞれの累積値を予め記憶しておく。さらに、フレームメモリ２３のフレームに対するフレームメモリ３３のフレームの差分の累積値を、フレームメモリ３３のフレームに対するフレームメモリ２３のフレームを１フレーム分から４フレーム分を遅らせた場合のそれぞれについての累積値を予め計算しておき、制御信号生成部３６の内部のメモリにそれぞれの累積値を予め記憶しておく。その上で、制御信号生成部３６は、各累積値のうち、いずれの累積値がフレームメモリ２３とフレームとフレームメモリ３３のフレームとが一致した場合の累積値であるかを予め記憶しておく。
そして、制御信号生成部３６は、ステップＳ３１４において求められた各累積値のうち、フレームメモリ２３とフレームとフレームメモリ３３のフレームとが一致した場合の累積値に一致する累積値があれば、その累積値が求められた場合におけるフレームメモリ３３とフレームメモリ２３の再生タイミングに基づいて読み出し制御信号を生成することができる。これにより、最前段の表示装置に対する自表示装置の再生タイミングを一致させることができる。
また、仮に、フレームメモリ２３とフレームとフレームメモリ３３のフレームとが一致した場合の累積値に一致する累積値がステップＳ３１４において得られない場合もあり得る。このような場合には、予め記憶された複数の累積値のうち、フレームメモリ２３とフレームとフレームメモリ３３のフレームとが一致する場合の再生タイミングになるべく近い再生タイミングとなるフレーム同士の組み合わせの累積値に一致する累積値を選択する。そして、選択された累積値が算出されたフレームメモリ２３とフレームメモリ２３のフレームの組み合わせに基づく読み出し制御信号を生成する。これにより、最前段の表示装置に対する自表示装置の再生タイミングのずれを数フレーム程度に抑えることができる。
【００８１】
読み出し制御信号が生成されると、ＭＰ２０は、本来表示すべきコンテンツとなる映像信号を出力する（ステップＳ３１５）。ここでは、制御信号生成部３６は、テスト映像信号を再生している間に、積算部３５によって求められた積算値に応じて読み出し制御信号を生成することができるため、表示装置１ｄと表示装置２ｄにおいて、ＭＰ１０とＭＰ２０において、本来表示すべき映像信号の再生タイミングは、乖離しすぎない程度であることが好ましい。ＳＥＬ２１は、ＭＰ２０によって再生された映像信号を映像処理回路２２と出力部２８に供給する。出力部２８は、ＳＥＬ２１から映像信号が供給されるが、映像信号がＭＰ２０によって再生されているため、映像信号線６２から供給される映像信号を選択し、後段の表示装置に映像信号を出力する。これにより、後段の表示装置において、１台目の表示装置から供給される映像信号の同期信号を用いてＭＰで再生される映像信号をフレームメモリから読み出すことができる。
また、表示装置２ｄは、読み出し制御信号が生成されたあと、本来表示すべきコンテンツとなる映像信号を出力する処理を連続的に行ってもよい。また、表示装置２ｄは、図１２に基づく映像信号の表示タイミングを同期させる同期処理を行った後、読み出し制御信号が生成されたあと、外部から再生指示が入力されたタイミングに応じて、本来表示すべきコンテンツとなる映像信号を出力する処理を実行してもよい。
表示装置２ｄ等のマルチディスプレイシステムにおける後段側の各表示装置が、図１２に基づく映像信号の表示タイミングを同期させる同期処理を行った後は、マルチディスプレイシステム全体として各表示装置の同期がとれた状態となる。そのため、本来表示すべきコンテンツとなる映像信号を表示する場合には、マルチディスプレイシステム全体として同期させて（表示タイミングを一致させて）表示することができる。
また、マルチディスプレイシステムにおける表示装置は、図１２において説明した同期処理を実行した後は、図５において説明をした同期処理を実行することができる。これにより、図１２における同期処理を行うことで、表示タイミングのずれを１フレーム以内に収めることができ、その上で、図５において説明した同期処理を実行することで、表示タイミングのずれをさらに小さくすることができる。
【００８２】
映像処理回路２２は、ＭＰ２０によって再生された映像信号を、この映像信号に含まれる同期信号に応じたフレームを生成し、フレーム毎にフレームメモリ２３に記憶する。
同期回路２５ａは、制御信号生成部３６によって生成された読み出し制御信号に従って、フレームメモリ２３から映像信号をフレーム毎に読み出しを行わせる。これにより、フレームメモリ２３からは、制御信号生成部３６によって生成された読み出し制御信号に従って、映像信号のフレームが順次駆動回路２６ａに供給される。駆動回路２６ａはフレームメモリ２３から供給される映像信号をフレーム毎に表示デバイス２７によって表示する（ステップＳ３１６）。
【００８３】
このように、フレームメモリ２３とフレームメモリ３３に記憶された映像信号の複数のフレームの差分を積算することで、その複数フレームの範囲内において表示タイミングが一致しているかを判別することができる。これにより、表示タイミングの差が数フレーム分あったとしても、表示タイミングを一致させることができる。
また、表示タイミングを一致させることができる範囲が１フレーム以内の差に限られるものではない。例えば、図１５に示すように、表示装置１ｄ（フレームメモリ１３）と表示装置２ｄ（フレームメモリ２３）のフレームの表示タイミングの差が２フレーム以上であっても、数フレームの範囲内であれば、表示タイミングを一致させるようにすることができる。
また、この複数のフレームの範囲内において一致するタイミングがなかったとしても、表示タイミングのずれの程度が１フレーム以内又は複数フレーム程度以内とすることができる。
【００８４】
図１６は、第６実施形態における表示装置２ｅの機能を表す概略ブロック図である。この表示装置２ｅは、第５実施形態における表示装置２ｄの一部と共通する部分がある。この共通する部分については、同じ符号を付し、その説明を省略する。
比較部３７は、フレームメモリ２３から読み出された映像信号とフレームメモリ３３から読み出された映像信号とを、フレーム毎に比較する。例えば、比較部３７は、フレームメモリ２３から読み出された映像信号のフレームとフレームメモリ３３から読み出された映像信号のフレームとを比較し、そのフレームに差がないまたは差分が閾値以下の場合には、フレームが一致していると判定する。ここで、フレームメモリ２３及びフレームメモリ３３に記憶される映像信号は、同期をとるために用いられるテスト用信号である同期用映像信号であってもよい。
制御信号生成部３６ａは、比較部３７の比較結果に基づいて、フレームメモリ２３に記憶された、映像信号の読み出しを行わせる制御信号を生成する。例えば、制御信号生成部３６ａは、比較部３７の比較結果が一致していることを示す場合または差分が閾値以下であることを示す場合には、映像信号の読み出しを行わせる制御信号を生成する。
【００８５】
同期回路２５ａは、制御信号３６ａによって生成された制御信号をフレームメモリ２３に供給する。これにより、同期回路２５ａは、制御信号生成部３６によって生成された制御信号に対応する映像信号のフレームの読み出しを行わせることができる。
【００８６】
また、フレームメモリ２３のフレームの再生時間に対応するフレームメモリ３３のフレームがない場合には、比較部３７が、フレームメモリ２３のフレームの再生時間に対応するフレームメモリ３３のフレームがある場合におけるフレーム同士の差よりも差が大きくなるような所定のフレームを、フレームメモリ３３のフレームとして用いて、比較するようにしてもよい。所定のフレームとしては、例えば、全域が黒を表示するようなフレーム（全黒のフレーム）を用いてもよい。
また、フレームメモリ２３のフレームの再生時間に対応するフレームメモリ３３のフレームがない場合には、比較部３７が、対応するフレームがないことを検出し、フレームメモリ２３のフレームの再生時間に対応するフレームメモリ３３のフレームがある場合におけるフレーム同士の差よりも大きな差分を示す情報を出力するようにしてもよい。
【００８７】
図１７は、第７実施形態における表示装置２ｆの機能を表す概略ブロック図である。
メモリ２３ｆは、映像再生装置から入力される映像信号を記憶する。この映像再生装置は、表示装置２ｆの外部に接続されていてもよい。
メモリ３３ｆは、映像再生装置に対応する映像信号であって複数の表示装置によって構成されるマルチディスプレイシステムのうち自表示装置とは異なる第１表示装置から入力される映像信号を記憶する。
比較部３７ｆは、メモリ２３ｆから読み出された映像信号とメモリ３３ｆから読み出された映像信号とを、フレーム毎に比較する。
読み出し制御部２５ｆは、比較部３７ｆの比較結果に基づいて、メモリ２３ｆに記憶された映像再生装置から入力される映像信号の読み出しを行わせる。
表示部２７ｆが、メモリ２３から読み出される映像信号の映像を表示する。
【００８８】
なお、上述した実施形態において、図１、図３、図４、図６、図９、図１０、図１６におけるＭＰ、図７、図８における映像再生部について、表示装置内に設けられる場合について説明したが、これらについては、表示装置の外部に設けられていてもよい。
【００８９】
また、図３、図４、図６、図７、図８におけるいずれかの表示装置の機能を実現するためのプログラムをコンピュータ読み取り可能な記録媒体に記録して、この記録媒体に記録されたプログラムをコンピュータシステムに読み込ませ、実行することにより表示処理を行ってもよい。なお、ここでいう「コンピュータシステム」とは、ＯＳや周辺機器等のハードウェアを含むものとする。
【００９０】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、サーバやクライアントとなるコンピュータシステム内部の揮発性メモリのように、一定時間プログラムを保持しているものを含むものとする。また上記プログラムは、前述した機能の一部を実現するためのものであっても良く、さらに前述した機能をコンピュータシステムにすでに記録されているプログラムとの組み合わせで実現できるものであってもよい。また、上記のプログラムを所定のサーバに記憶させておき、他の装置からの要求に応じて、当該プログラムを通信回線を介して配信（ダウンロード等）させるようにしてもよい。
【００９１】
以上、この発明の実施形態について図面を参照して詳述してきたが、具体的な構成はこの実施形態に限られるものではなく、この発明の要旨を逸脱しない範囲の設計等も含まれる。
【符号の説明】
【００９２】
１、１ａ、１ｂ、１ｃ、２、３、４  表示装置
５  信号源
１０、２０、３０、４０  ＭＰ（メディアプレイヤ）
１１、１４、２１、２４  ＳＥＬ（セレクタ）
１２、２２  映像処理回路
１３、２３  フレームメモリ
１３ｂ、１３ｃ  メモリ
１４ｂ  取得部
１５、２５、３５、４５、１１１  同期回路
１５ｂ、１５ｃ  読み出し制御部
１６、２６  駆動回路
１６ｂ、１６ｃ  表示制御回路
１７、２７  表示デバイス
１７ｂ、１７ｃ  表示部
１８、１８ｃ、２８  出力部
１９  ＲＴＣ（リアルタイムクロック）
３２  書き込み部
３３  フレームメモリ
３４  差分算出部
３５  積算部
３６  制御信号生成部
６１、６２、６３、６４  映像信号線
２０１  制御部
【図１】
2019177095.tif 000003
【図２】
2019177095.tif 000004
【図３】
2019177095.tif 000005
【図４】
2019177095.tif 000006
【図５】
2019177095.tif 000007
【図６】
2019177095.tif 000008
【図７】
2019177095.tif 000009
【図８】
2019177095.tif 000010
【図９】
2019177095.tif 000011
【図１０】
2019177095.tif 000012
【図１１】
2019177095.tif 000013
【図１２】
2019177095.tif 000014
【図１３Ａ】
2019177095.tif 000015
【図１３Ｂ】
2019177095.tif 000016
【図１３Ｃ】
2019177095.tif 000017
【図１４Ａ】
2019177095.tif 000018
【図１４Ｂ】
2019177095.tif 000019
【図１４Ｃ】
2019177095.tif 000020
【図１５】
2019177095.tif 000021
【図１６】
2019177095.tif 000022
【図１７】
2019177095.tif 000023
【国際調査報告】
2019177095.tif 000024
2019177095.tif 000025
2019177095.tif 000026
2019177095.tif 000027